(57)【特許請求の範囲】
【請求項１】
弦楽器のテールピースに装着され、弦の後端が着脱可能に係止される弦楽器用調弦装置であって、
前記テールピースの前端部に固定手段によって着脱可能に固定され、テールピースの前側に調整ねじ装着部を有するフレームと、
前記テールピースに形成された弦係止孔に通されて配設され、テールピースの表面上に弦の後端が着脱可能に係止される弦係止部を有し、前記フレームに、張弦方向に沿って揺動可能に支持されたレバー部材と、
前記フレームの前記調整ねじ装着部に当該弦楽器の表面側からねじ込まれて装着される調整ねじと、
前記フレームに、前記調整ねじと前記レバー部材との間に介在する状態に設けられ、調整ねじのねじ込み量に応じて前記レバー部材を張弦方向の張り側および緩み側に揺動させる揺動伝達部材と、
を備えることを特徴とする弦楽器用調弦装置。
【請求項２】
前記揺動伝達部材は、前記調整ねじが前記ねじ装着部にねじ込まれることによって前記レバー部材を前記張り側に揺動させることを特徴とする請求項１に記載の弦楽器用調弦装置。
【請求項３】
前記揺動伝達部材は、前記調整ねじによって揺動させられる伝達レバーで構成されることを特徴とする請求項１または２に記載の弦楽器用調弦装置。
【請求項４】
前記伝達レバーは、前記調整ねじによって直接揺動させられる一のレバーを有し、前記レバー部材は、この一のレバーと反転する状態に揺動させられることを特徴とする請求項３に記載の弦楽器用調弦装置。
【請求項５】
前記固定手段は、前記フレームに回動可能に支持され、前記テールピースの前端部を、前記フレームとの間に挟持する押さえ板と、
この押さえ板をテールピース側に押さえ付けて固定する固定ねじ部材と、
を備えることを特徴とする請求項１〜４のいずれかに記載の弦楽器用調弦装置。
【請求項６】
前記固定ねじ部材はナットであり、前記調整ねじ装着部に前記調整ねじと同軸的に設けられていることを特徴とする請求項１〜５のいずれかに記載の弦楽器用調弦装置。
【発明の詳細な説明】
【技術分野】
【０００１】
本発明は、弦楽器のテールピースに装着され、調弦作業の補助として音程の微調整を行うための弦楽器用調弦装置に関する。
【背景技術】
【０００２】
例えばヴァイオリン、ヴィオラ、チェロ等の弦楽器は、弦を張ったり緩めたりする調弦のための糸巻き装置を備えているが、音程をより細かい精度で微調整するために、糸巻き装置とは反対側の弦の後端側から調弦するアジャスターと呼ばれる調弦装置を用いる場合がある。この種の調弦装置は、特に最も細い弦（ヴァイオリンであれば１弦）に多く適用されており、弦楽器のボディの後端部に固定されるテールピースに装着される。従来の調弦装置としては、例えば特許文献１に記載されるボールエンド型が知られている。
【０００３】
図６は一般的なヴァイオリン用のテールピースを示しており、テールピース６における弦が張られる側の前端部（図６で右端部）には、４本の弦の後端が係止される弦係止孔１１が形成されている。弦係止孔１１は、前後方向に延びる弦通しスリット１１ｂの後部に円形状の弦玉通し孔１１ａが形成されてなるもので、弦の後端に固定された弦玉を弦玉通し孔１１ａに表面側から入れ、弦通しスリット１１ｂに通した弦を前方に張ってることで弦に張力が与えられる。
【０００４】
さて、図７は上記ボールエンド型の調弦装置を示している。この調弦装置は、前後方向に延びるフレーム１０１の後端（図で左端）に、外周面および内周面にねじ山が形成された上方に延びる円筒状のねじ部１０２が設けられており、ねじ部１０２が、テールピース６の裏側（図で下側）から弦玉通し孔１１ａに通され、テールピース６から突出したねじ部１０２にナット１０３がねじ込まれてテールピース６に固定される。フレーム１０１はテールピース６の裏面に当接して前端部がテールピース６の前端縁から前方に突出しており、その前端部には、フック部１０４に弦玉２００を介して弦８が係止されるＬ字状のレバー１０５が、ピン１０６を介して矢印Ｈ方向に揺動可能に支持されている。フック部１０４には、上方に開口して弦８が通されるスリット１０４ａが形成されている。ねじ部１０２の内部のねじ孔には、レバー１０５の後端に当接する調整ねじ１０７がねじ込まれ、調整ねじ１０７のねじ込み量に応じてレバー１０５が揺動し、調弦されるようになっている。
【０００５】
また、図７は別の形式の調弦装置を示している。この調弦装置はループエンド型と呼ばれるもので、フレーム１１１に設けられたねじ部１１２がテールピース６の裏側から弦玉通し孔１１ａに通されてねじ部１１２にナット１１３がねじ込まれ、ねじ部１１３の内部のねじ孔にねじ込まれた調整ねじ１１７でレバー１１５を揺動させる構成は基本的にはボールエンド型と同様であるが、レバー１１５は弦通しスリット１１ｂ内で揺動するようになされている点が異なっている。また、フレーム１１１にピン１１６を介して揺動可能に支持されたレバー１１５のフック部１１４はナット１１３に近接することから弦玉が入る余裕はなく、したがって、ループ状に形成した弦８の後端をフック部１１４に係止するようになっている。
【先行技術文献】
【特許文献】
【０００６】
【特許文献１】特表２００７−５１３３５９公報（図１）
【発明の概要】
【発明が解決しようとする課題】
【０００７】
図７に示したボールエンド型の調弦装置は、レバー１０５が比較的長く、その後端部を押すことで弦８を張るため操作力が軽くて済み、調弦しやすいという利点がある。しかし、テールピース６の前端縁よりも前側にフック部１０４があるため、弦８の全体長さが短くなり、例えば１本の弦のみに用いた場合には、他の弦との演奏音のバランスがとりにくくなる。また、弦８の後端と駒（図２の９ｂ）までの間の後方余弦長さが他の弦と大きく異なってしまい、後方余弦に起因する演奏音の余韻等の演奏効果に影響を及ぼすおそれがある。
【０００８】
一方、図８に示したループエンド型の調弦装置は、フック部１１４が弦係止孔１１上にあるため弦の長さの差異はあまり生じないが、レバー１１５が比較的短いため操作に強い力が必要となり、また、レバー１１５の可動範囲が比較的小さいことと相まって調弦しにくいといった不利な面がある。
【０００９】
また、いずれの調弦装置にあっても、弦玉通し孔１１ａに通される調整ねじ１０７（１１７）でレバー１０５（１１５）を揺動させるため、調整ねじで押されるレバーと弦楽器のボディ表面との間の隙間は狭く、レバーの揺動量、すなわち調弦量を大きくとりにくいといった問題があった。
【００１０】
本発明は上記事情に鑑みてなされたものであり、その主たる目的は、調弦しやすく、かつ、演奏音への影響の少ない調弦装置を提供することにある。
【課題を解決するための手段】
【００１１】
本発明の弦楽器用調弦装置は、弦楽器のテールピースに装着され、弦の後端が着脱可能に係止される弦楽器用調弦装置であって、前記テールピースの前端部に固定手段によって着脱可能に固定され、テールピースの前側に調整ねじ装着部を有するフレームと、前記テールピースに形成された弦係止孔に通されて配設され、テールピースの表面上に弦の後端が着脱可能に係止される弦係止部を有し、前記フレームに、張弦方向に沿って揺動可能に支持されたレバー部材と、前記フレームの前記調整ねじ装着部に当該弦楽器の表面側からねじ込まれて装着される調整ねじと、前記フレームに、前記調整ねじと前記レバー部材との間に介在する状態に設けられ、調整ねじのねじ込み量に応じて前記レバー部材を張弦方向の張り側および緩み側に揺動させる揺動伝達部材とを備えることを特徴とする。
【００１２】
本発明では、前記揺動伝達部材は、前記調整ねじが前記ねじ装着部にねじ込まれることによって前記レバー部材を前記張り側に揺動させる形態を含む。
【００１３】
また、本発明では、前記揺動伝達部材は、前記調整ねじによって揺動させられる伝達レバーで構成される形態を含む。
【００１４】
また、本発明では、前記伝達レバーは、前記調整ねじによって直接揺動させられる一のレバーを有し、前記レバー部材は、この一のレバーと反転する状態に揺動させられることを特徴とする請求項３に記載の弦楽器用調弦装置。
【００１５】
また、本発明では、前記固定手段は、前記フレームに回動可能に支持され、前記テールピースの前端部を、前記フレームとの間に挟持する押さえ板と、この押さえ板をテールピース側に押さえ付けて固定する固定ねじ部材とを備える形態を含む。
【００１６】
また、本発明では、前記固定ねじ部材はナットであり、前記調整ねじ装着部に前記調整ねじと同軸的に設けられている形態を含む。
【発明の効果】
【００１７】
本発明によれば、調弦しやすく、かつ、演奏音への影響の少ない調弦装置が提供されるといった効果を奏する。
【図面の簡単な説明】
【００１８】
【図１】本発明の一実施形態に係る調弦装置が適用される弦楽器（ヴァイオリン）の平面図である。
【図２】同ヴァイオリンの図１：II−II線より矢印側の側面図である。
【図３】同調弦装置の斜視図であって、（ａ）組立て状態、（ｂ）分解状態である。
【図４】同調弦装置の四面図であって、（ａ）上面図、（ｂ）側面図、（ｃ）前面図、（ｄ）下面図である。
【図５】同調弦装置をテールピースに装着した状態の側面図であって、（ａ）レバーの可動域を示す図、（ｂ）張力が最大に与えられた状態の図、（ｃ）最も弦を緩めた状態の図である。
【図６】テールピースの平面図である。
【図７】従来の調弦装置（ボールエンド型）の側面図であって、（ａ）テールピースに装着した状態の図、（ｂ）レバーの可動域を示す図である。
【図８】従来の調弦装置（ループエンド型）の側面図であって、（ａ）テールピースに装着した状態の図、（ｂ）レバーの可動域を示す図である。
【発明を実施するための形態】
【００１９】
以下、図面を参照して本発明の一実施形態を説明する。
図１は、一実施形態の調弦装置が装着される一般的なアコースティック型のヴァイオリン（弦楽器）を示しており、図２は、図１：II−II線より矢印側の側面図である。このヴァイオリン１は、中空の共鳴胴を形成するボディ２、ボディ２の前端側（図１で上側）に延び、前端部にペグボックス３ａを有するネック３、ネック３の表面に固定された指板４、ペグボックス３ａに装着された４つのペグ（糸巻き）５、ボディ２の後端部（図１で下端部）に固定されたテールピース６およびあご当て７、４本の弦（図１で右側から１弦、２弦、３弦、４弦）８等を備えている。
【００２０】
各弦８は、ペグ５とテールピース６との間に張られ、ネック３の前端部の上駒９ａと、ボディ２の表面側の指板４とテールピース６との間に立てられる駒９ｂとによって支持される。各弦８はペグ５の巻き取り・巻き出し作用によって張力が与えられるとともに音程調整すなわち調弦がなされ、上駒９ａと駒９ｂとの間が有効弦、駒９ｂからテールピース６までの間が後方余弦と呼ばれる。
【００２１】
テールピース６には、図６で示したように、弦玉通し孔１１ａと弦通しスリット１１ｂを有する弦係止孔１１が弦８に応じて４つ並列して形成されている。同図に示すように、テールピース６の表面の各弦係止孔１１の前側には、前後方向に交差して延びる弦支持用の凸条１２が形成されている。弦係止孔１１に係止される弦は凸条１２に当たって支持され、上記後方余弦は、実際には駒９ｂから凸条１２までの間とされる。
【００２２】
上記のように、ヴァイオリン１においてはペグ５側が前側、テールピース６側が後側とし、以下の前後方向に関する記載はこのようなヴァイオリン１の前後方向に基づくものとする。また、ボディ２の厚さ方向となる上下方向に関しては、弦５が張られている側を上側とする。
【００２３】
［１］調弦装置の構成
図３〜図５に、一実施形態の調弦装置２０を示す。図３は斜視図であって、（ａ）組立て状態、（ｂ）分解状態を示し、図４は四面図、図５はテールピース６に装着した状態の側面図を示している。これら図に示すように、調弦装置２０は、テールピース６に装着した状態で前後方向に延びるフレーム３０と、フレーム３０の前端部に上方からねじ込まれる調整ねじ４０と、フレーム３０に揺動可能に支持され、調整ねじ３０によって操作されるレバー部材５０を備えている。
【００２４】
フレーム３０は、細長い板材をヘアピン状に加工して屈曲部が前端側とされ、左右の板部３１，３２が、間隔を空けて全体的には平行に延び、後端側は開放した形状に形成されたものである。左右の板部３１，３２は、長手方向の異なる位置で幅方向の一方側（図４でＡ方向側）にクランク状に屈曲しており、これによって間隔が他の部分よりも大きく空いたスペース３３が形成されている。図４（ａ）に示すように、フレーム３０は、左右の板部３１，３２が幅方向の一方側に屈曲することにより、全体として後端部が幅方向の一方側にオフセットされ、その後端部には、後述する第２のレバー（レバー部材）５２の支持部３７が設けられている。
【００２５】
フレーム３０の前端は円筒状に加工されており、この前端円筒部３４の上部には、外周面および内周面にねじ山が形成された上方に延びる円筒状のねじ部（調整ねじ装着部）３５が一体に形成されている。このねじ部３５には、固定手段７０が装着される。固定手段７０は、ねじ部３５に上方から挿通されてねじ部３５を支点に回動可能に組み込まれる押さえ板７１と、ねじ部３５の外周面の雄ねじに上方からねじ込まれるナット（固定ねじ部材）７５により構成される。押さえ板７１の一端には、側面視が逆Ｌ字状の押さえ片７２が形成されている。押さえ板７１には、ねじ部３５に挿通される挿通孔７１ａが形成されている。
【００２６】
調弦装置２０は、固定手段７０によって次のようにしてテールピース６に装着される。まず、テールピース６における調弦対象の弦８に対応する弦係止孔１１の前側において、押さえ板７１を水平に旋回させて押さえ片７２を後側に位置付けた状態で、押さえ片７２とフレーム３０との間の空間をテールピース６の前端縁に対向させる。そしてその空間をテールピース６の前端部に嵌め込み、上側の押さえ片７２と下側のフレーム３０とでテールピース６の前端部を挟んだ状態とする。この後、ナット７５をねじ込んで押さえ板７１をテールピース６側に押し込むことにより、押さえ片７２とフレーム３０とによりテールピース６を強く挟んだ状態となって調弦装置２０はテールピース６に装着される。
以下、この装着状態で、調弦装置２０の構成の説明を続ける。
【００２７】
フレーム３０の上記ねじ部３５の内部のねじ孔には、上方から調整ねじ４０がねじ込まれる。調整ねじ４０の上端には摘み用のノブ４１が形成されている。調整ねじ４０は、ねじ部３５内にねじ込まれていくと、フレーム３０を下方に貫通する。フレーム３０には、調整ねじ４０によって揺動操作させられるレバー部材５０が、張弦方向すなわち前後方向に沿って揺動可能に支持されている。レバー部材５０は、調整ねじ４０の後方に配設され、調整ねじ４０によって直接揺動させられる第１のレバー（揺動伝達部材、伝達レバー、一のレバー）５１と、第１のレバー５１の後方に配され、第１のレバー５１によって反転する状態に揺動させられる第２のレバー５２とから構成される。
【００２８】
第１のレバー５１は、フレーム３０の内部すなわち左右の板部３１，３２の間に挟まれた状態で、フレーム３０の中間部の下方に膨出する第１のレバー５１の支持部３６に、第１のピン６１を介して揺動可能に支持されている。第１のピン６１は左右の板部３１，３２に固定され、第１のレバー５１には、第１のピン６１が通される挿通孔５１ａが形成されている。第１のレバー５１は、第１のピン６１を支点とし、左右の板部３１，３２にガイドされる状態で図５（ａ）に示す矢印Ｂ１−Ｃ１方向に揺動する。
【００２９】
第１のレバー５１の、第１のピン６１の挿通孔５１ａよりも前方側の前端部は、調整ねじ４０の軸線の延長上に位置し、調整ねじ４０の先端に当接可能となっている。また、第１のレバー５１の、第１のピン６１よりも後方側の後端部は、上記一方側に屈曲しており、第２のレバー５２の前端部が当接する作用片５３が形成されている。作用片５３を含む第１のレバー５１の後端側は、第１のレバー５１が図５（ａ）の矢印Ｂ１方向に揺動すると、左右の板部３１，３２間のスペース３３内に入り込む。すなわち作用片５３はフレーム３０に干渉せず、作用片５３がスペース３３内に入り込むことにより、第１のレバー５１は揺動可能となっている。
【００３０】
第２のレバー５２は、上記の第２のレバー５２の支持部３７に、第２のピン６２を介して揺動可能に支持されている。第２のレバー５２の支持部３７は、左右の板部３１，３２の後端部、およびその後端部から上方に突出するガイド片３８から構成されている。第２のピン６２は、ガイド片３８の根本部分の左右の板部３１，３２に固定され、第２のレバー５２には、第２のピン６２が通される挿通孔５２ａが形成されている。第２のレバー５２は、第２のピン６２を支点とし、左右のガイド片３８にガイドされる状態で、上記スペース３３を含むフレーム３０内を図５（ａ）に示す矢印Ｂ２−Ｃ２方向に揺動する。
【００３１】
第２のレバー５２は、前方に延びる前板部５４と、上方に延びる上板部５５とを有する側面視が概ねＬ字状の板材であり、前板部５４と上板部５５との基部に、上記挿通孔５２ａが形成されている。前板部５４の前端下部は、第１のレバー５１の作用片５３に当接可能となっている。
【００３２】
第２のレバー５２の上板部５５の先端は先細りに形成され、かつ、Ｒ状に屈曲されてフック部（弦係止部）５６が形成されている。フック部５６は、図４（ｃ）に示すように、一旦一方側（Ａ側）に鈍角に曲げられてから反対側に向けてＲ状に屈曲されて形成されており、その内部空間は、調整ねじ４０の一方側にオフセットされている。調弦装置２０がテールピース６に装着された状態で、第２のレバー５２の上板部５５は、フック部５６を含む上側部分が弦係止孔１１に通されて配設され、フック部５６は、常にテールピース６の表面上に突出する。
【００３３】
第２のレバー５２のフック部５６には、弦８の後端が係止される。弦８の係止手段としては、弦玉を用いたボールエンド（図７（ａ）参照）と、弦８の後端部をループ状に係止させたループエンドのどちらも採用することができる。ボールエンドでは、フック部５６の後側に弦玉を掛けて弦８をフック部５６の内部に通す。また、ボールエンドの場合は、ループをフック部５６に引っ掛ければよい。図４（ａ）、（ｃ）に示すように、フック部５６に後端が係止されて張られる弦８は、調整ねじ４０の一方側を通過し、調整ねじ４０の干渉を受けずに調弦される。
【００３４】
第２のレバー５２のフック部５６に弦８が係止され、その弦８に張力が与えられることにより（図５の矢印Ｄ方向が弦の張り方向）、第２のレバー５２は弦８によって常にＣ２方向に揺動するよう付勢される。これによって前板部５４の前端下部が常に第１のレバー５１の後端部の作用片５３を押さえ付け、第１のレバー５１はＣ１方向に揺動し、前端部が調整ねじ４０の下端に当接する。弦８が張った状態では、常にこのような当接状態が維持される。
【００３５】
［２］調弦装置の使用方法ならびに動作
以上の構成を有する本実施形態の調弦装置２０の使用方法ならびに動作を説明する。
【００３６】
（１）弦を張る
調弦装置２０を用いて弦８を張り、音程を高い方に調整する場合には、図５（ｂ）に示すように、調整ねじ４０をねじ込んで先端を下降させる。すると、第１のレバー５１が調整ねじ４０に押されてＢ１方向に揺動し、これに応じて第２のレバー５２が反転させられＢ２方向（張り方向）に揺動し、フック部５６が後方に揺動する。このとき第２のレバー５２においては、上板部５５が弦係止孔１１の弦玉通し孔１１ａに位置している。これにより弦８は張力が増大させられ、音程は高い方に変化する。
【００３７】
（２）弦を緩める
調弦装置２０を用いて弦８を緩め、音程を低い方に調整する場合には、図５（ｃ）に示すように、調整ねじ４０を緩む方向に回転させて上昇させる。すると、張られている弦８に引っ張られて第２のレバー５２の前板部５４が第１のレバー５１の後端部の作用片５３を押していることにより、第１のレバー５１は調整ねじ４０の先端に当接している状態が継続しながらＣ１方向に揺動し、これに応じて第２のレバー５２はＣ２方向（緩み方向）に揺動し、フック部５６が前方に揺動する。このとき第２のレバー５２においては、上板部５５が弦係止孔１１の弦玉通し孔１１ａから弦通しスリット１１ｂに入り込むようになっている。これにより弦８は張力が減少させられ、音程は低い方に変化する。
【００３８】
以上のように調弦装置２０は使用され、この調弦装置２０によれば、調整ねじ４０のねじ込み量によって第２のレバー５２のフック部５６が前後方向に変位し、これによって細かい精度で調弦がなされ、音程の調整をすることができる。
【００３９】
［３］一実施形態の作用効果
一実施形態の調弦装置２０によれば、フック部５６が弦係止孔１１上にあるため、調弦装置２０を用いずに直接弦係止孔１１に弦８を係止させた他の弦８と比較しても、弦８の全体長さや後方余弦長さにあまり差異が生じない。このため、他の弦８との演奏音のバランスを保持することができるとともに、後方余弦に起因する演奏音の余韻等の演奏効果に影響を与えにくい。
【００４０】
また、第１のレバー５１と第２のレバー５２とからなるレバー部材５０全体としては、テールピース６の前側から弦係止孔１１の弦玉通し孔１１ａまでの長さを有しており、調整ねじ４０によって揺動させるための操作力、すなわち調整ねじ４０を回転させるに要する力は、軽いものとなる。特に、弦８を張る場合には、梃子の原理で第１のレバー５１が第２のレバー５２を持ち上げるように作用するため、操作力が軽くなる。したがって調弦しやすいという利点がある。
【００４１】
また、図５（ａ）で示す調整ねじ４０の作用で揺動させられる第２のレバー５２の可動範囲Ｅは、図７（ｂ）、図８（ｂ）で示した従来装置のレバーの可動範囲Ｆ，Ｇと比較すると大きく、したがって調弦の範囲が大きく、これによっても調弦しやすさを得ることができる。
【００４２】
また、テールピース６は、図２に示すように、駒９ｂ側である前方に向かうにしたがってボディ２の表面から離れるように傾斜しており、調整ねじ４０は、このように傾斜するテールピース６の前側に配置される。このため、調整ねじ４０の上下動の範囲を、従来装置のように弦係止孔１１に調整ねじ４０を通す形式と比較すると大きくすることができる。その結果、調整ねじ４０のねじ込み量に応じたレバー部材５０の揺動量を大きくとることができ、以て調弦量を大きくとることができる。このことからも調弦しやすいということが言える。
【００４３】
本実施形態の調弦装置２０は、上記のように押さえ板７１をナット７５で締め込む構成の固定手段７０によりテールピース６に着脱可能に固定される。調弦装置２０をテールピース６から取り外すには、ナット７５を緩め、押さえ板７１をねじ部３５を軸に旋回させて押さえ片７２をテールピース６から外せば取り外すことができる。従来装置では、調整ねじをねじ部から抜き取り、さらにナットをねじ部から外さなければテールピース６から取り外すことができなかったが、本実施形態のものでは、ナット７５を緩めるだけで取り外すことができる。したがってテールピース６への脱着が容易である。
【００４４】
また、レバー部材５０を２つのレバー（第１および第２のレバー５１，５２）で構成し、調整ねじ４０で直接揺動させられる第１のレバー５１の動きと反転するように第２のレバー５２を組み込んでいることにより、調整ねじ４０をねじ込んで締める操作で第２のレバー５２が後方に動き、弦８が張られる。すなわち、調整ねじ４０を締めれば弦８が張られ、調整ねじ４０を緩めれば弦８も緩むといったように、調整ねじ４０の操作感覚と調弦の状態を一致したものとでき、使い勝手がよい。
【００４５】
また、ねじ部３５に調整ねじ４０とナット７５が螺合され、これら調整ねじ４０とナット７５は同軸的に設けられるため、省スペース化が図られる。これは、隣の弦８にも調弦装置２０を装着する場合、隣り合う調弦装置２０の間が広くなり、このため、装着しやすく、かつ、調整ねじ４０を回転しやすくなるといった点で有利となる。
【００４６】
さらに、フック部５６は、弦玉で弦８を係止させるボールエンドと、弦８の後端部のループを係止させるループエンドの両方に対応可能であり、この点でも汎用性があるといった利点がある。
【００４７】
なお、上記実施形態では、第１のレバー５１が本発明の伝達レバーすなわち揺動伝達部材を構成しているが、伝達レバーは１つに限らず、互いに揺動を伝え合う複数のレバーで構成されていてもよい。また、揺動伝達部材としては伝達レバー以外にも、調整ねじ４０のねじ込み量に応じて第２のレバー（レバー部材）５２を揺動させることができる手段を備えているものであれば、いかなるものであってもよい。例えば、調整ねじ４０で正逆回転させられるようにされた１つのギヤ、あるいは複数のギヤ列などが挙げられる。さらに、ギヤとレバーの組み合わせであっても可能である。
【符号の説明】
【００４８】
１…ヴァイオリン（弦楽器）
６…テールピース
８…弦
１１…弦係止孔
２０…調弦装置
３０…フレーム
３５…ねじ部（調整ねじ装着部）
４０…調整ねじ
５０…レバー部材
５１…第１のレバー（揺動伝達部材、伝達レバー、一のレバー）
５２…第２のレバー（レバー部材）
５６…フック部（弦係止部）
７０…固定手段
７１…押さえ板
７５…ナット（固定ねじ部材）
【図１】
0005837409.tif 000002
【図２】
0005837409.tif 000003
【図３】
0005837409.tif 000004
【図４】
0005837409.tif 000005
【図５】
0005837409.tif 000006
【図６】
0005837409.tif 000007
【図７】
0005837409.tif 000008
【図８】
0005837409.tif 000009